(57)【要約】【課題】閉じた状態から開いた状態までの操作が簡単で片手で行うことのできる携帯情報端末およびその開閉操作方法を提供する。【解決手段】携帯情報端末１０は、操作部を有する第１の筐体１と、表示部を有する第２の筐体２と、第１の筐体１と前記第２の筐体２とを連結する連結機構３と、第１の筐体１に設けられたスタンド部１８とを備えている。連結機構３は、第２の筐体２が操作部を覆うとともに表示部が露出している第１の状態と、第２の筐体２が操作部を露出させる第２の状態とを移行できるように構成されている。第１の状態において、スタンド部１８が立てられた場合に、テレビ視聴を最優先するモードに設定される。【選択図】図１８
2008278528.tif 000002
【特許請求の範囲】
【請求項１】
操作部を有する第１の筐体と、
表示部を有する第２の筐体と、
前記第１の筐体と前記第２の筐体とを連結する連結機構と、
前記第１の筐体に設けられたスタンド部と、を備え、
前記連結機構は、前記第２の筐体が前記操作部を覆うとともに前記表示部が露出している第１の状態と、前記第２の筐体が前記操作部を露出させる第２の状態とを移行できるように構成され、
前記第１の状態において、前記スタンド部が立てられた場合に、テレビ視聴を最優先するモードに設定されること特徴とする携帯情報端末。
【発明の詳細な説明】
【技術分野】
【０００１】
本発明は、携帯情報端末に関するものである。
【背景技術】
【０００２】
従来のこの種の携帯情報端末、たとえば携帯電話機において、表示部を縦長表示から横長表示に変える技術は、たとえば特開２００３−３１９０４３号公報（特許文献１）に開示されている。図５７は、上記公報に開示された携帯電話機の構成を示す概略正面図である。図５７を参照して説明すると、この携帯電話機５１０は、下側ユニット５０１、上側ユニット５０２およびヒンジ部５０３を有している。下側ユニット５０１と上側ユニット５０２とはヒンジ部５０３を介して折畳み可能に連結されている。下側ユニット５０１は、各種のキーよりなる操作部５１１を有している。上側ユニット５０２は、表示部５２１を有する表示部ユニット５０２ａと、その表示部ユニット５０２ａを回転可能に支持する支持部ユニット５０２ｂとを有している。
【０００３】
この携帯電話機５１０は、下側ユニット５０１と上側ユニット５０２とが折畳まれた状態（図示せず）から、ヒンジ部５０３を中心として下側ユニット５０１に対して上側ユニット５０２を回転させることにより開いた状態（図５７（ａ））とされる。この状態では、表示部５２１は縦長表示である。この開いた状態（図５７（ａ））から表示部ユニット５０２ａを支持部ユニット５０２ｂに対して回転させることにより、表示部５２１を横長表示にすることができる（図５７（ｂ）〜（ｄ））。
【特許文献１】特開２００３−３１９０４３号公報
【発明の開示】
【発明が解決しようとする課題】
【０００４】
上記公報に開示された携帯電話機５１０では、下側ユニット５０１と上側ユニット５０２とが折畳まれた状態から、表示部５２１を横長表示状態にするためには、２回の回転動作が必要となる。つまり、下側ユニット５０１に対して上側ユニット５０２を回転させる動作と、支持部ユニット５０２ｂに対して表示部ユニット５０２ａを回転させる動作とが必要となる。このため、操作が煩雑になるという問題があった。
【０００５】
また操作者は開いた状態（図５７（ａ））では下側ユニット５０１を把持しているのに対し、表示部ユニット５０２ａは支持部ユニット５０２ｂに回転可能に支持されている。このため、操作者が下側ユニット５０１を把持する側の手で表示部ユニット５０２ａを横長表示にするために回転させようとすると、その把持する側の指を支持部ユニット５０２ｂ側へ伸ばす必要がある。この際、表示部ユニット５０２ａを９０°回転させる程度に指を伸ばすことが困難であるため、操作者は１回の動作で横長表示への移行操作を完了することができない。このため、横長表示への移行操作が片手で行えず操作が煩雑であるという問題もあった。
【０００６】
またアンテナの感度を調整することが困難であるという問題もあった。
本発明の目的は、閉じた状態から開いた状態までの操作が簡単で片手で行うことのできる携帯情報端末を提供することである。
【０００７】
また本発明の他の目的は、アンテナの感度を容易に調整することが可能な携帯情報端末を提供することである。
【課題を解決するための手段】
【０００８】
本発明の携帯情報端末は、操作部を有する第１の筐体と、表示部を有する第２の筐体と、第１の筐体と第２の筐体とを連結する連結機構と、第１の筐体に設けられたスタンド部とを備えている。連結機構は、第２の筐体が操作部を覆うとともに表示部が露出している第１の状態と、第２の筐体が操作部を露出させる第２の状態とを移行できるように構成されている。第１の状態において、スタンド部が立てられた場合に、テレビ視聴を最優先するモードに設定される。
【発明の効果】
【０００９】
以上説明したように本発明の携帯情報端末によれば、閉じた状態から横長表示状態までの操作が簡単で片手で行うことができる。
【００１０】
また本発明の携帯情報端末によれば、アンテナの感度を容易に調整することが可能である。
【発明を実施するための最良の形態】
【００１１】
以下、本発明の実施の形態を、携帯電話に実施した場合について図に基づいて説明する。
【００１２】
（実施の形態１）
図１は、本発明の実施の形態１における携帯情報端末の閉じた状態を示す正面図（ａ）と、開いた状態を示す正面図（ｂ）である。図１を参照して、本実施の形態の携帯情報端末１０は、第１の筐体１と、第２の筐体２と、回転連結機構３とを有している。
【００１３】
第１の筐体１は、表面に操作部（図示せず）を有している。第２の筐体２は、表面に表示部（図示せず）を有している。第１の筐体１の表面と第２の筐体２の背面とが対向するように第１の筐体１と第２の筐体２とが回転連結機構３により直接連結されている。回転連結機構３により、第１の筐体１の表面（操作部を有した面）に対して第２の筐体２の背面（表示部を有する面とは反対の面）が相対的にスライド回転可能である。
【００１４】
回転連結機構３は、第２の筐体２が第１の筐体１の操作部全体を覆う閉じた状態（図１（ａ））と、第２の筐体２が操作部を露出するとともに第１の筐体１の中心線Ｃ−Ｃに対して左右対称となる開いた状態（図１（ｂ））とのいずれか一方の状態から他方の状態へ１回の回転操作により移行できるように構成されている。
【００１５】
たとえば、第１の筐体１と第２の筐体２とは同じ矩形の形状を有し、第１および第２の筐体１、２の各短辺の長さをａ、各長辺の長さをｂとしたとき、第１および第２の筐体１、２の各角部Ｅ（短辺Ａと長辺Ｂとの交点）からｘ＝（ｂ−ａ）／２の式で求められるｘの距離だけ離れた各長辺Ｂ上の点を通り、かつ長辺Ｂに対して４５°の角度で交差する仮想線Ｄ−Ｄ上の点（たとえば点Ｐ１〜Ｐ３のいずれか）に回転連結機構３の回転中心が配置されている。
【００１６】
回転連結機構３の回転中心を第１および第２の筐体１、２の各長辺Ｂ上の点Ｐ１に配置した場合には図１（ｂ）に示すような開いた状態となり、また長辺Ｂよりも筐体１、２の内側の点Ｐ２に配置した場合には図２に示すような開いた状態となり、また長辺Ｂよりも筐体１、２の外側の点Ｐ３に配置した場合には図３に示すような開いた状態となる。
【００１７】
このように開いた状態において第１および第２の筐体１、２からなる正面形状が「Ｔ」字状となることが好ましい。
【００１８】
なお上記仮想線Ｄ−Ｄは、図１（ａ）に示すように辺Ａの対辺または辺Ｂの対辺のいずれかと交差し、かつ辺Ａの延長線と交差するように辺Ｂに対して傾斜している。
【００１９】
次に、本実施の形態の携帯情報端末の開閉操作について説明する。
図１を参照して説明すると、まず閉じた状態（図１（ａ））においては、上述したように第２の筐体２が第１の筐体１の操作部全体を覆っている。この状態から回転連結機構３の回転中心を中心として第１の筐体１に対して第２の筐体２をたとえば図中時計方向にスライド回転させる。これにより、第１の筐体１に対して第２の筐体２が徐々にずれていく。第１の筐体１に対して第２の筐体２を９０°回転させることにより、第２の筐体２が操作部を露出するとともに第１の筐体１の中心線Ｃ−Ｃに対して左右対称となり、携帯情報端末１０は外形が「Ｔ」字状の開いた状態となる。
【００２０】
また、開いた状態から閉じた状態への操作は上記と逆の方向（反時計方向）に第２の筐体２を回転させることにより行われる。
【００２１】
なお本明細書における「スライド回転」とは、第１の筐体１と第２の筐体２との対向面（つまり第１の筐体１の表面と第２の筐体２の背面）に対して平行な面内で第２の筐体２を第１の筐体に対して回転させることを意味する。
【００２２】
また第２の筐体２を第１の筐体１に対して９０°回転させる場合について説明したが、９０°以上回転するように構成されていてもよい。この場合、閉じた状態と開いた状態とで位置決めできるように構成されていることが好ましい。たとえば回転部分に凹部が設けられており、閉じた状態と開いた状態とではその凹部に凸状の部材（たとえば球体）がバネで付勢されて嵌るように構成されており、その構成によって位置決めが行われてもよい。
【００２３】
また閉じた状態から第２の筐体２を時計方向に回転させる場合について説明したが、反時計方向に回転可能であってもよい。
【００２４】
本実施の形態によれば、上記の仮想線Ｄ−Ｄ上に回転連結機構３の回転中心が配置されているため、図１（ａ）、図２、図３に示すように開いた状態で、第２の筐体２が操作部を露出するとともに第１の筐体１の中心線Ｃ−Ｃに対して左右対称とすることができる。
【００２５】
また左右対称となるため、操作者が開いた状態で第１の筐体１を把持することにより、表示部を見やすくなる。特に携帯情報端末１０にてゲームをする場合には、第１の筐体１の中心線Ｃ−Ｃに対して表示部が左右対称であれば操作者によるゲームの操作性が向上する。
【００２６】
また左右対称となるため、開いた状態での携帯情報端末１０の重量分配も左右対称にすることが容易となる。これにより、携帯情報端末１０が開いた状態で右または左に傾くことを防止できる。このため、操作者が開いた状態で第１の筐体１を把持した場合にも携帯情報端末１０の傾きの防止が容易となる。これにより、通勤電車の中などの不安定な状態でも、安定して表示部を見ることができる。
【００２７】
また開いた状態で第１の筐体１を把持することにより、第２の筐体２の表示部を指で隠すことなく、携帯情報端末１０をしっかりと保持することができる。
【００２８】
また閉じた状態と開いた状態とのいずれか一方の状態から他方の状態へ１回の回転操作により移行できるため、開いた状態（横長表示）への移行が容易となる。
【００２９】
また第１の筐体１が表面に操作部を有しているため、操作者は第１の筐体１を片手で把持しながら第１の筐体１の操作部を操作することができる。また操作者が把持する第１の筐体１に第２の筐体２が連結されているため、操作者は把持している手の指を少し伸ばすだけで、第２の筐体２を開いた状態へ移行させることができ、片手での移行操作が可能となる。これにより、携帯情報端末１０を開く操作と、キー操作と、閉じる操作との一連の操作の全てを片手で行うことが可能となる。
【００３０】
また不安定な状態では開いた状態で第１の筐体１をグリップとしてしっかり把持してテレビ（テレビ放送）を視聴することができ、安定した状態ではコンパクトな閉じた状態でテレビを視聴することができる。
【００３１】
（実施の形態２）
図４〜図９は、本発明の実施の形態２における携帯情報端末の開いた状態での構成を示す正面図、背面図、右側面図、左側面図、平面図および底面図である。図１０は、図４のＸａ−Ｘａ線に沿う概略断面図（ａ）およびＸｂ−Ｘｂ線に沿う概略断面図（ｂ）である。図１１は、本発明の実施の形態２における携帯情報端末の開いた状態での構成を示す斜視図である。
【００３２】
図４〜図１１を参照して説明すると、本実施の形態の携帯情報端末１０は、第１の筐体１と、第２の筐体２と、回転連結機構３とを有している。
【００３３】
主に図４を参照して説明すると、第１の筐体１の表面には、テンキー、シャッター操作等を行うファンクションキー、メニュー選択等を行うメニュー選択キー、文字切換を行う文字切換キーなどからなる操作部１１と、通話用のマイク１２とが配置されている。また第２の筐体２の表面には、たとえば液晶表示装置を有する表示部２１と、表示部２１の両側に配置されたスピーカ２２、２２と、カメラ２３と、たとえば戻りキーとしての機能を有する操作部２４とが配置されている。表示部２１はカメラ２３のファインダとして使用するようにしてもよい。
【００３４】
主に図５を参照して説明すると、第１の筐体１の背面には、スタンド１８と、スタンド格納用の溝１３と、カメラ１４と、フラッシュ１５とが配置されている。この場合、カメラ１４のファインダとして表示部２１を使用するようにしても良い。またカメラ１４、２３にて撮像される画像（表示部２１に表示される画像）は、表示部２１が縦型（図１２の閉じた状態）または横型（図１１の開いた状態）のいずれにおいても正常な状態の画像が表示されるように、表示部２１の回転に応じて、カメラ（撮像素子、たとえばＣＣＤ）１４、２３も回転するようにしてもよい。
【００３５】
スタンド１８は、第１の筐体１の背面に対して角度を調整することが可能であり、この角度を調整することによりスタンド格納用の溝１３内に格納された状態と第１の筐体１の背面に対して角度をもって突き出した状態とを選ぶことができる。またスタンド１８にはたとえばダイバシティ方式のアンテナ（図示せず）が設けられている。
【００３６】
主に図６を参照して説明すると、第１の筐体１の側面（とたえば右側面）には、シャッターボタン１６が配置されている。
【００３７】
主に図７を参照して説明すると、第１の筐体１の側面（とたえば左側面）には、メモリーカードなどの外部記憶媒体を第１の筐体１に挿抜するためのスロット１７が配置されている。この場合、たとえばカメラ１４またカメラ２３の画像を外部記憶媒体に記憶させる際には、カメラ１４またはカメラ２３の縦型使用若しくは横型使用（縦型若しくは横型の使用状態は加速度センサにて検知する）による画像の記憶（記録）状態が認識可能とするフラグも入力し、再生時に正常状態の再生画面が得られるようにしてもよい。そして、外部記憶媒体にはテレビ放送を記録するようにしてもよい。そしてまた、スロット１７にはテレビ放送、音楽などを記録した他の外部記憶媒体を挿入して、その他の外部記憶媒体に記録された画像、音声を携帯電話にて再生するようにしてもよい。
【００３８】
主に図４を参照して説明すると、回転連結機構３は、第１の筐体１に対して第２の筐体２が相対的にスライド回転するように第１の筐体１および第２の筐体２を連結している。回転連結機構３は、第２の筐体２が第１の筐体１の操作部全体を覆う閉じた状態と、第２の筐体２が操作部を露出するとともに第１の筐体１の中心線Ｃ−Ｃに対して左右対称となる開いた状態とのいずれか一方の状態から他方の状態へ１回の回転操作により移行できるように構成されている。たとえば回転連結機構３の回転中心は、実施の形態１で説明した図１の点Ｐ１に配置されている。
【００３９】
主に図１０を参照して説明すると、回転連結機構３は、たとえば互いに回転自在に組み合わされた第１の回転軸部３ａと第２の回転軸部３ｂとを有している。第１の回転軸部３ａと第２の回転軸部３ｂとはともに中空構造を有し、第１の回転軸部３ａは第１の筐体１の側面に固定されており、第２の回転軸部３ｂは第２の筐体２の側面に固定されている。第１の回転軸部３ａの端面と第２の回転軸部３ｂの端面とが突き合わされ、かつ第１の回転軸部３ａの内周側に突き出した凸部３３が第２の回転軸部３ｂの凹部３２に嵌り合うことにより、第１の回転軸部３ａと第２の回転軸部３ｂとが互いに回転自在に組み合わされている。
【００４０】
第１の回転軸部３ａと第２の回転軸部３ｂとの内部には、第１の筐体１と第２の筐体２の電気デバイスを電気的に接続するための複数の配線を束ねた配線束４１が通されている。これにより第１の筐体１に設けられたバッテリーなどから表示部２１、スピーカ２２、カメラ２３などに電力を供給でき、また第１の筐体１と第２の筐体２との各電気デバイス間で電気信号の送受を行うことができる。
【００４１】
また第１の回転軸部３ａと第２の回転軸部３ｂとの内部には操作部３１が配置されている。この操作部３１は、たとえばカーソルキーである。このカーソルキーは表示画面上のポインタなどを上下左右に移動させるのに使うほか、ウィンドウをスクロールさせる時などにも使うことができる。またこのカーソルキーを長押しすることにより決定キーとしての機能を持たせてもよい。
【００４２】
図１２〜図１５は、本発明の実施の形態２における携帯情報端末の閉じた状態での構成を示す正面図、右側面図、平面図および斜視図である。
【００４３】
図１２〜図１５を参照して、本実施の形態の携帯情報端末１０では閉じた状態において、第２の筐体２が第１の筐体１の操作部１１の全体を覆っている。また第１の筐体１と第２の筐体２とはたとえば正面から見て実質的に同じ大きさ及び／若しくは形状を有しており、たとえば矩形、円、楕円形状などであり、この実施の形態では、矩形の形状を有しており、閉じた状態では正面から見てほぼ完全に重なっている。
【００４４】
次に、本実施の形態の携帯情報端末の開閉操作について説明する。
図１６は、本発明の実施の形態２における携帯情報端末の開閉操作を説明するための正面図である。図１６を参照して、まず閉じた状態（図１６（ａ））においては、上述したように第２の筐体２が第１の筐体１の操作部全体を覆っている。この状態から、第１の筐体１を把持する手の親指で第２の筐体２を押し上げることにより、回転連結機構３の回転中心を中心として第１の筐体１に対して第２の筐体２を図中時計方向にスライド回転させる。これにより、第１の筐体１に対して第２の筐体２が徐々にずれていく（図１６（ｂ））。第１の筐体１に対して第２の筐体２を９０°回転させることにより、第２の筐体２が操作部を露出するとともに第１の筐体１の中心線Ｃ−Ｃに対して左右対称となり、携帯情報端末１０は外形が正面から見て「Ｔ」字状の開いた状態となる（図１６（ｃ））。
【００４５】
また、開いた状態から閉じた状態への操作は上記と逆の方向に第２の筐体２を回転させることにより行われる。
【００４６】
次に、本実施の形態の携帯情報端末の使用方法について説明する。
図１６（ａ）に示す閉じた状態では、縦長表示でたとえばメール、通話の操作などを行なうことができる。この際、操作部２４を操作して各種の操作が行なわれる。またタッチパネルを用いた場合には、タッチパネルの操作によっても各種の操作を行なうことができる。また閉じた状態では、デジタルカメラ的な撮影が可能となる。つまり、第１の筐体１の背面にあるカメラ１４を被写体に向けて、手前側の表示部２１にて被写体と構図を確認しながら、第１の筐体１の側面にあるシャッターボタン１６を押して撮影するといったデジタルカメラでの撮影と近似した撮影が可能となる。
【００４７】
尚、上記のデジタルカメラ的な撮影の場合（図１６（ａ）に示す閉じた状態）、他のシャッターボタン（この場合は、操作部１１のファンクションキーのシャッター機能）の操作をロックし、シャッターボタン１６の操作を最優先するモードに自動的に設定されるように構成し、誤操作を防止するようにしてもよい。
【００４８】
また閉じた状態では、図１７および図１８に示すようにスタンド１８を立てた状態で携帯情報端末１０を机、台などの上において、テレビ（テレビ放送）を視聴することもできる。スタンド１８内にはアンテナ５０が設けられているため、スタンド１８の第１の筐体１の背面に対する角度（立てる角度）を変更することにより、アンテナ５０の受信感度を最も良好な位置に設定することができる。またスタンド１８により、携帯情報端末１０を立てて保持することができるため、手に持たなくともテレビを視聴することができる。
【００４９】
この場合、スタンド１８を立てた状態にすると、テレビ視聴を最優先するモードに自動的に設定される（切換わる）ように構成することにより、使用勝手をより向上させるようにしてもよい。
【００５０】
このアンテナ５０はダイバシティ方式のアンテナであることが好ましい。ダイバシティ方式のアンテナ５０は複数（たとえば２つ）のアンテナ５１を有しているため、電波状況の優れたアンテナ５１の信号を優先的に用いることができ、また受信した信号を合成しノイズを除去して受信の安定性を高めることもできる。
【００５１】
また開いた状態では、図１９に示すように第１の筐体１をグリップとして把持してテレビを視聴したり、第１の筐体１を把持しつつ親指で操作部１１の各キーを操作してメール、通話などの操作を行なうことができる。
【００５２】
次に、本実施の形態の携帯情報端末の電気回路部について説明する。
図２０は、本発明の実施の形態２における携帯情報端末の電気回路部の一例を示す回路ブロック図である。図２０を参照して、本実施の形態の電気回路部は、地上波アナログ放送受信部と、地上波デジタル放送受信部と、携帯電話無線部とを有している。
【００５３】
地上波アナログ放送受信部では、アンテナ１０１で受信された信号はＶＨＦ／ＵＨＦチューナ回路１０２と映像ＩＦ（interface）／音声ＩＦ信号処理回路１０３とで処理され
た後、音声信号は音声復調回路１０４で処理されてアンプ・音出力回路１２１にて音声として出力され、映像信号はビデオクロマ同期信号処理回路１０５とフレームメモリ回路１０６とで処理されてＬＣＤ（Liquid Crystal Display）コントローラ回路１１８へ送られる。
【００５４】
地上波デジタル放送受信部では、アンテナ１０７で受信された信号は１ＳＥＧ（segment）チューナ回路１０８とＯＦＤＭ（Orthogonal Frequency Division Multiplexing）デジタル復調回路１０９とＴＳ（Transport Streams）多重分離処理回路１１０とで処理された後、映像信号は放送ブラウザ回路１１１と映像復号回路１１２とで並行して処理されてＬＣＤコントローラ回路１１８へ送られ、音声信号は放送ブラウザ回路１１１と音声復号回路１１３とで並行して処理されてＤＡ（Digital/analogue）コンバータ回路１２０へ送られる。
【００５５】
携帯電話無線部では、アンテナ１１４で受信された信号はＲＦ（Radio Frequency）処理回路１１５とBased band処理回路１１６とが行われた後、アプリケーションプロセッサ回路１１７を経て、映像信号はＬＣＤコントローラ回路１１８へ送られ、音声信号はＤＡコンバータ回路１２０へ送られる。
【００５６】
ＬＣＤコントローラ回路１１８へ送られた映像信号はＬＣＤ回路１１９にて映像として出力される。またＤＡコンバータ回路１２０へ送られた音声信号はアンプ・音出力回路１２１で音声として出力される。
【００５７】
上記においては回転連結機構３内に設けられた操作部としてカーソルキー３１について説明したが、この操作部はトラックボール１３１であってもよい。以下、トラックボールを用いた構成について説明する。
【００５８】
図２１〜図２５はトラックボールを用いた携帯情報端末の閉じた状態を示す正面図、図２１のＸＸＩＩ−ＸＸＩＩ線に沿う概略断面図、右側面図、図２１のＸＸＩＶ−ＸＸＩＶ線に沿う概略断面図および分解斜視図である。
【００５９】
主に図２５を参照して、トラックボール部の機構は、トラックボール１３１と、ボール用シャフト１３２と、回転検出用基板１３３と、回転ヒンジ可動プレート１３４と、回転ヒンジ固定プレート１３５と、トラックボールカバー１３６とを有している。
【００６０】
トラックボール１３１は球形を有しており、上下方向からボール用シャフト１３２により挟まれている。トラックボール１３１の上側（第２の筐体２側）に接するボール用シャフト１３２はトラックボールカバー１３６に固定されており、トラックボール１３１の下側（第１の筐体１側）に接するボール用シャフト１３２は第２の回転軸部３ｂに固定されている。また回転検出用基板１３３は、トラックボール１３１の下側（第１の筐体１側）に配置されている。
【００６１】
主に図２２を参照して、回転ヒンジ可動プレート１３４は第２の回転軸部３ｂの内周面に固定されており、回転ヒンジ固定プレート１３５は第１の回転軸部３ａの内周面に固定されている。回転ヒンジ可動プレート１３４は、回転ヒンジ固定プレート１３５の外周面に設けられた溝内に嵌り込んでいる。これにより、第１の回転軸部３ａに対して第２の回転軸部３ｂが回転自在に支持されている。
【００６２】
図２１〜図２５を参照して、第１の回転軸部３ａはキー底キャビネット１ｂと一体化されており、第２の回転軸部３ｂは液晶底キャビネット２ｂと一体化されている。第１の筐体１はキー上キャビネット１ａとキー底キャビネット１ｂとを有しており、第２の筐体２は液晶上キャビネット２ａと液晶底キャビネット２ｂとを有している。
【００６３】
トラックボール１３１を用いた場合もカーソルキーを用いた場合と同様の操作を行なうことができる。
【００６４】
本実施の形態によれば、実施の形態１と同様の作用効果を得ることができる。
なお表示部２１の両側にあるスピーカ２２は使用状況に応じて以下のように切り換えられてもよい。つまり、開いた状態および閉じた状態でテレビを視聴している場合にはステレオ音声に対応して右側と左側とで別個独立して音声を発し、また開いた状態で電話による通話をしている場合には両側のスピーカ２２はモノラル音声で音声を発し、また閉じた状態で電話による通話をしている場合には一方のスピーカ２２のみが通話相手の音声を発し、かつ他方のスピーカ２２はマイクとして機能させてもよい。このように他方のスピーカ２２として一つの部材でスピーカおよびマイクとして機能させてもよく、またスピーカとして機能する部材とマイクとして機能する部材とを別々に設けてもよい。
【００６５】
また配線束４１にはある程度のたるみが意図的に設けられており、これにより第２の筐体２は第１の筐体１に対して３６０°スムーズに回転させることが可能となる。
【００６６】
また配線束４１はコイルスプリングのようなバネ性を有するものであってもよく、配線束４１がそのバネ性により適宜伸縮することにより第２の筐体２は第１の筐体１に対して３６０°スムーズに回転させることが可能となる。また第１の筐体１と第２の筐体２との各電子デバイス間を無線（ワイヤレス）で接続することにより、配線束４１を省略することも可能である。無線を用いる場合には、一方の筐体に電源を設け、他方の筐体には電磁誘導により一方の筐体から他方の筐体へ電源が供給されてもよい。
【００６７】
また第１の回転軸部３ａと第２の回転軸部３ｂとの内部には操作部３１以外にカメラ（図示せず）が配置されてもよい。このカメラは第１の筐体１の背面側に設けてもよく、第２の筐体２の表面側に設けてもよい。また第１の回転軸部３ａと第２の回転軸部３ｂとの内部に配置されるカメラは１つに限られず、２つ以上であってもよい。２つのカメラを設ける場合には、一方のカメラを第１の筐体１の背面側（相手側撮影用）に設け、他方のカメラを第２の筐体２の表面側（自身の撮影用）に設けることもできる。
【００６８】
この場合、一方・他方のカメラのシャッター操作を操作部１１のファンクションキーの操作時間間隔、操作回数等を変えることにより行うようにしてもよく、また、一方のカメラのシャッター操作を操作部１１のファンクションキーの操作にて行うようにし他方のカメラのシャッター操作を操作部２４にシャッター機能をもたせてシャッター操作を行うようにしても良い。
【００６９】
フラッシュ１５は、発光ダイオードであってもよく、またキセノンを用いたストロボであってもよい。
【００７０】
表示部２１の長辺と短辺との寸法比は１６：９であってもよく、４：３であってもよい。また表示部２１はタッチパネルであってもよく、このタッチパネルによりテレビの操作（チャンネル切り換え、音量、画面のコントラスト、画面の切り換え、画面音声の切り換えなど）及び／若しくは電話の操作などが行われてもよい。また表面がたとえばサファイアガラスなどのような強化ガラスで覆われていてもよい。また表示部２１は１画面表示だけでなく、多画面表示（分割画面表示、たとえば２画面、３画面、４画面など）が可能であってもよい。多画面表示を行う場合には、１の表示部２１でテレビ画面、電子番組ガイド（ＥＰＧ：Electronic Program Guide）画面、ゲーム画面、メール画面などを適宜組合せて多画面で表示することができる。これにより、テレビを見ながらメールを読んだり、メールを作成したり、メールを返信したり、番組予約をしたり、ゲームをしたりすることができ、操作者が複数の情報を同時に処理することができる。
【００７１】
また携帯情報端末１０はテレビ番組の録画機能を有していてもよく、また非接触の電子決済機能や個人認証機能を有していてもよい。特に非接触の電子決済機能を用いる場合には、携帯情報端末１０を閉じた状態で、電子決済に必要な複雑な各種の情報（乗車区間、チケット情報、料金、バーコードなど）を表示部で確認できることが好ましいため、本実施の形態の携帯情報端末１０はこの用途に特に適している。また非接触の電子決済機能や個人認証機能を持たせる場合、携帯情報端末１０は、ＳＩＭ（Subscriber Identity Module）カードのようなＩＣ（Integrated Circuit）カードを装着可能に構成されていることが好ましい。
【００７２】
また携帯情報端末１０の幅（第１の筐体１と第２の筐体２の各単辺方向の寸法）は５０ｍｍ±１０ｍｍ以下であることが好ましい。携帯情報端末１０は開いた状態で「Ｔ」字状となるため、携帯情報端末１０の重心が比較的に上部に位置することとなり、上部が左右に振れやすいため、しっかりと把持する必要がある。この幅の範囲内であれば、開いた状態で女性などの手の小さい人が第１の筐体１を把持してもしっかりと把持することができる。
【００７３】
（実施の形態３）
図２６〜図３１は、本発明の実施の形態３における携帯情報端末の開いた状態での構成を示す正面図、背面図、右側面図、左側面図、平面図および底面図である。図３２は、図２６のＸＸＸＩＩ−ＸＸＸＩＩ線に沿う概略断面図である。図３３は、本発明の実施の形態３における携帯情報端末の開いた状態での構成を示す斜視図である。また図３４〜図３７は、本発明の実施の形態３における携帯情報端末の閉じた状態での構成を示す正面図、右側面図、平面図および斜視図である。
【００７４】
図２６〜図３７を参照して、本実施の形態の携帯情報端末１０の構成は、実施の形態１の構成と比較して、グライドパッド２６とスピーカ２７とが追加された点において異なる。
【００７５】
グライドパッド２６とスピーカ２７とは第２の筐体２の表面であって、表示部２１の短辺方向の一方側であって回転連結機構３が設けられる辺側に配置されている。グライドパッド２６はポインティングデバイスの一種であり、タッチパッド、トラックパッド、フラットポイントなどとも呼称されるものである。このグライドパッド２６は、内部に多層プリント基板を有し、その多層プリント基板には短冊状の電極が上下に交差するように配置され、その間に微量な電気が蓄えられるものである。グライドパッド２６は、表面に指などの電気を通す動体が接触すると、電極間の電界の変化から蓄えられていた電気の量（容量）が変わり、この電気の変化量から指の座標を読み取るものである。
【００７６】
なおこれ以外の構成については上述した実施の形態１の構成とほぼ同じであるため同一の構成要素に付いては同一の符号を付し、その説明を省略する。
【００７７】
次に、本実施の形態の携帯情報端末の開閉操作について説明する。
図３８は、本発明の実施の形態３における携帯情報端末の開閉操作を説明するための正面図である。図３８を参照して、まず閉じた状態においては、実施の形態１および２と同様、第２の筐体２が第１の筐体１の操作部全体を覆っている。この状態から、第１の筐体１を把持する手の親指で第２の筐体２を押し上げることにより、回転連結機構３の回転中心を中心として第１の筐体１に対して第２の筐体２を図中時計方向にスライド回転させる。これにより、第１の筐体１に対して第２の筐体２が徐々にずれていく。第１の筐体１に対して第２の筐体２を９０°回転させることにより、第２の筐体２が操作部を露出するとともに第１の筐体１の中心線Ｃ−Ｃに対して左右対称となり、携帯情報端末１０は外形が「Ｔ」字状の開いた状態となる。
【００７８】
また、開いた状態から閉じた状態への操作は上記と逆の方向に第２の筐体２を回転させることにより行われる。
【００７９】
次に、本実施の形態の携帯情報端末の使用方法について説明する。
図３４に示す閉じた状態では、縦長表示でたとえばメール、通話の操作などを行なうことができる。この際、操作部２４、グライドパッド２６、タッチパネルなどを操作して各種の操作が行なわれる。また閉じた状態では、デジタルカメラ的な撮影が可能となる。
【００８０】
また閉じた状態では、図３９および図４０に示すようにスタンド１８を立てた状態で携帯情報端末１０を机、台などの上において、テレビを視聴することもできる。スタンド１８内にはアンテナ５０が設けられているため、スタンド１８の第１の筐体１の背面に対する角度（立てる角度）を変更することにより、アンテナ５０の受信感度を最も良好な位置に設定することができる。またスタンド１８により、携帯情報端末１０を立てて保持することができるため、手に持たなくともテレビを視聴することができる。
【００８１】
また開いた状態では、図４１に示すように第１の筐体１をグリップとして把持してテレビを視聴したり、第１の筐体１を把持しつつ親指で操作部１１の各キーを操作してメール、通話などの操作を行なうことができる。
【００８２】
また開いた状態においても、グライドパッドを用いた簡易な操作が可能である。以下、グライドパッドを用いた操作の一例について説明する。
【００８３】
図４２〜図４６は、グライドパッドを用いた操作の一例を説明するための正面図である。図４２を参照して、たとえば動画（テレビを録画したもの、カメラで撮影したもの、メールに添付して送信されてきたもの、ゲームなどのコンテンツなど）が停止または一時停止の状態にあるときにグライドパッド２６を指で１回ノックすることにより動画の再生が開始する。また図４３を参照して、動画の再生中にグライドパッド２６を指で１回ノックすることにより動画が一時停止する。また図４４を参照して、動画が一時停止または再生のいずれの状態にあるときでも、グライドパッド２６を指で２回ノックすることにより動画が停止する。
【００８４】
図４５を参照して、動画の再生中にグライドパッド２６を指で右側に１回こすり指がグライドパッド２６に接触したままで指の動きを止めると、指をグライドパッド２６から離すまでは動画は早送り状態を継続する。その状態で指をグライドパッド２６から離すと動画は再生状態に戻る。
【００８５】
図４６を参照して、動画の再生中にグライドパッド２６を指で左側に１回こすり指がグライドパッド２６に接触したままで指の動きを止めると、指をグライドパッド２６から離すまでは動画は巻戻し状態を継続する。その状態で指をグライドパッド２６から離すと動画は再生状態に戻る。
【００８６】
このようにグライドパッド２６を用いて動画の操作などをすることにより人間の感性に近い感覚で操作を行なうことが可能となる。
【００８７】
本実施の形態によれば、実施の形態１と同様の作用効果を得ることができる。
尚、上記説明においては、右手操作による携帯情報端末について説明したが、回転連結機構を反対側（左側）に設けることにより左手で操作する携帯情報端末とすることができる。
【００８８】
（両側開きに対応した構成）
実施の形態１〜３においては回転連結機構３として回転軸を用いた構成について説明したが、回転連結機構３の構成はこれに限られず、カム孔とピンとの組み合わせからなっていてもよい。この構成を採用することで、第２の筐体を第１の筐体に対していずれの方向に回転させても、所定の回転角度（たとえば９０°）で第２の筐体を第１の筐体の中心線に対して左右対称の状態にすることができる。以下、この構成を両側開きに対応した構成として説明する。
【００８９】
図４７は、両側開きに対応した構成を概略的に示す一部破断斜視図である。図４７を参照して、両側開きに対応した構成は、第２の筐体２の底板２ｃに設けられた２つのカム孔、即ち、第１のカム孔２０１ａ、第２のカム孔２０１ｂと、その第１のカム孔２０１ａ、第２のカム孔２０１ｂに各々に挿通された２本のピン、即ち第１のピン２０２ａ、第２のピン２０２ｂとを有している。第１のカム孔２０１ａ、第２のカム孔２０１ｂは２つ円弧状の孔が組み合わさった形状を有している。２本のピン、即ち第１のピン２０２ａ、第２のピン２０２ｂの各々は第１の筐体１の表面に固定されている。この２本のピン、即ち第１のピン２０２ａ、第２のピン２０２ｂの各々の先端は拡径された第１のフランジ部２０２ｃ、第２のフランジ部２０２ｄを有し、この第１のフランジ部２０２ｃ、第２のフランジ部２０２ｄにより第１のピン２０２ａ、第２のピン２０２ｂがカム孔２０１から抜けることが防止されている。
【００９０】
なお第１のカム孔２０１ａ、第２のカム孔２０１ｂは第２の筐体２の底板２ｃに直接設けられていてもよいが、この第１のカム孔２０１ａ、第２のカム孔２０１ｂの設けられた平板２ｃが第２の筐体２の底板に接合されていてもよい。
【００９１】
これ以外の構成については実施の形態１〜３の構成とほぼ同じであるため、その説明を省略する。
【００９２】
次に、図４７に示す両側開きに対応した構成の開閉操作について説明する。
図４８は図４７に示す両側開きに対応した構成の右手による開閉操作を説明するための正面図であり、図４９は図４７に示す両側開きに対応した構成の左手による開閉操作を説明するための正面図である。
【００９３】
図４８を参照して、まず閉じた状態においては、実施の形態１〜３と同様、第２の筐体２が第１の筐体１の操作部全体を覆っている（図４８（ａ））。この状態から、第１の筐体１を把持する右手の親指で第２の筐体２を押し上げることにより、図中左側の第１のピン２０２ａが第１のカム孔２０１ａに沿ってスライドして、図中右側の第２のピン２０２ｂを中心として第１の筐体１に対して第２の筐体２が図中時計方向にスライド回転する。これにより、第１の筐体１に対して第２の筐体２が徐々にずれていく（図４８（ｂ））。第１の筐体１に対して第２の筐体２を図中時計方向に９０°回転させることにより、第２の筐体２が操作部（図示せず）を露出するとともに第１の筐体１の中心線に対して左右対称となり、携帯情報端末１０は外形が「Ｔ」字状の開いた状態となる（図４８（ｃ））。
【００９４】
図４９を参照して、まず閉じた状態においては、実施の形態１〜３と同様、第２の筐体２が第１の筐体１の操作部全体を覆っている（図４９（ａ））。この状態から、第１の筐体１を把持する左手の親指で第２の筐体２を押し上げることにより、図中右側の第２のピン２０２ｂが第２のカム孔２０１ｂに沿ってスライドして、図中左側の第１のピン２０２ａを中心として第１の筐体１に対して第２の筐体２が図中反時計方向にスライド回転する。これにより、第１の筐体１に対して第２の筐体２が徐々にずれていく（図４９（ｂ））。第１の筐体１に対して第２の筐体２を図中反時計方向に９０°回転させることにより、第２の筐体２が操作部（図示せず）を露出するとともに第１の筐体１の中心線に対して左右対称となり、携帯情報端末１０は外形が「Ｔ」字状の開いた状態となる（図４９（ｃ））。
【００９５】
このように両側開きに対応した構成とすることにより、右手が利き手の操作者にとっても、右手が利き手の操作者にとっても同様に容易に開閉操作を行なうことが可能となる。
【００９６】
（第１の筐体と第２の筐体との２点支持に関する構成）
実施の形態１〜３においては第１の筐体１と第２の筐体２とは回転連結機構３の１点において支持されているため、これ以外の点において第１の筐体１と第２の筐体２とを互いに支持させることにより支持強度を高めることが好ましい。以下、第１の筐体と第２の筐体とを２点支持する構成について説明する。
【００９７】
図５０は、第１の筐体と第２の筐体とを２点で支持するための部材の構成を概略的に示す一部破断斜視図である。図５０を参照して、２点で支持するための部材は、扇形の形状をした２つの部材２１０および２２０からなっている。一方の扇形の部材２１０の表面には円弧状のレール溝２１１が設けられており、他方の扇形の部材２２０の表面にはピン２２１が設けられている。このピン２２１はレール溝２１１に沿ってスライド可能なようにレール溝２１１に嵌め込まれている。またピン２２１がレール溝２１１から抜けないようにピン２２１の先端は拡径されたフランジ部となっている。また第１の筐体１に対して第２の筐体２が９０°以上回転できるように扇状の部材２１０および２２０のいずれも９０°以上の角度を有している。この例では、扇状の部材２２０が約９０°の広がり角度をもつように形成されており、扇状の部材２１０は部材２２０よりも大きな広がり角度を持つように形成されている。
【００９８】
また扇状の部材２１０および２２０の双方には、第１の筐体１と第２の筐体２との各電気デバイスを電気的に接続するための配線束を通すための孔２１２、２２２が設けられている。また扇状の部材２１０および２２０の双方には、回転連結機構３の回転軸部を通すための円形状の孔２１３、２２３が設けられている。
【００９９】
図５１を参照して、この扇状の部材２１０（右上向きハッチング部分）はたとえば第２の筐体２に取付けられ、扇状の部材２２０（左上向きハッチング部分）はたとえば第１の筐体１に取付けられる。
【０１００】
これにより図５１および図５２に示すように開いた状態（図５１）と閉じた状態（図５２）との間で第１の筐体１に対して９０°の回転を許容しながら、第１の筐体１に対して第２の筐体２を２点で支持することが可能となり、支持強度を高めることができる。
【０１０１】
なお扇状の部材を設けずに、第１の筐体１の表面および第２の筐体２の背面のいずれか一方にレール溝２１１が、いずれか他方にピン２２１が直接設けられてもよい。
【０１０２】
（スピーカの配置）
実施の形態２および３においては、表示部２１の長辺方向の両側にスピーカ２２が１つづつ配置されているが、配置されるスピーカ２２の個数はこれに限定されるものではない。たとえば図５３に示すように、表示部２１の長辺方向の一方側に３つのスピーカ２２、２２ａ、２２ａが配置されてもよい。この場合、携帯情報端末１０が開いた横長表示の状態では表示部２１の左右のスピーカ２２、２２が音声を発し、閉じた縦長表示の状態ではスピーカ２２ａ、２２ａが音声を発するように切り替えられてもよい。
【０１０３】
また、これと同様に、図５４に示すように表示部２１の長辺方向の一方側に２つのスピーカ２２ａ、２２ａが配置されてもよい。この場合、携帯情報端末１０が開いた横長表示の状態では表示部２１の図中右側のスピーカ２２と図中左側の２つのスピーカ２２ａ、２２ａが音声を発し、閉じた縦長表示の状態ではスピーカ２２ａ、２２ａが音声を発するように切り替えられてもよい。
【０１０４】
（縦・横アングルの切り替え）
実施の形態２および３においては、静止画撮影およびＴＶ電話機能のそれぞれの場合において以下のように縦・横アングルの切り替えが行なわれる。
【０１０５】
図５５は、静止画撮影における縦・横アングルの切り替えを説明するための図である。図５５を参照して説明すると、縦長の構図を撮影する場合には図５５（ａ）に示すように携帯情報端末１０を閉じた状態としてカーソルキー３１を押すことにより撮影が可能である。また横長の構図を撮影する場合には、図５５（ａ）の状態から図５５（ｂ）に示すように第２の筐２をスライド回転させて、図５５（ｃ）に示すように携帯情報端末１０を開いた状態としてカーソルキー３１を押すことにより撮影が可能である。
【０１０６】
このように実施の形態２および３の携帯情報端末１０においては、静止画撮影時に携帯情報端末１０を握りかえることなく、片手で容易に表示部２１の縦・横のアングルの切り替えを行なうことができる。またこのアングルの切り替えに連動してカメラ１４または２３のアングルも切り替わる。
【０１０７】
図５６は、ＴＶ電話機能における縦・横アングルの切り替えを説明するための図である。図５６を参照して説明すると、ＴＶ電話時において縦長構図の被写体または添付画像と縦長構図の相手画像とを表示部２１に同時に表示する場合には図５６（ａ）に示すように携帯情報端末１０を閉じた状態で縦長表示にて表示することができる。この状態から、会話の流れに応じて、図５６（ｂ）に示すように握りかえることなく片手で容易に表示部２１のアングルを切り替えることができる。また、このアングルの切り替えに連動して表示部２１の分割画面の並び方も変わる。図５６（ｃ）に示すように縦長構図の２画面を横に並べて表示することができる。この場合、たとえば相手画像と自己画像とを２つ並べることができる。
【０１０８】
なお携帯情報端末はたとえば携帯電話機であるが、これに限定されるものではなく、携帯用情報端末（ＰＤＡ：personal data assistant）、ノート型のパーソナルコンピュータ、通信可能なデジタルカメラなどであってもよい。
【０１０９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１１０】
本発明は、表示部を縦長表示から横長表示に変える携帯情報端末、その開閉操作方法、およびその表示方法に特に有利に適用することができる。
【図面の簡単な説明】
【０１１１】
【図１】本発明の実施の形態１における携帯情報端末の閉じた状態を示す正面図（ａ）と、開いた状態を示す正面図（ｂ）である。
【図２】本発明の実施の形態１における携帯情報端末において回転連結機構の回転中心を点Ｐ２としたときの開いた状態を示す正面図である。
【図３】本発明の実施の形態１における携帯情報端末において回転連結機構の回転中心を点Ｐ３としたときの開いた状態を示す正面図である。
【図４】本発明の実施の形態２における携帯情報端末の開いた状態での構成を示す正面図である。
【図５】本発明の実施の形態２における携帯情報端末の開いた状態での構成を示す背面図である。
【図６】本発明の実施の形態２における携帯情報端末の開いた状態での構成を示す右側面図である。
【図７】本発明の実施の形態２における携帯情報端末の開いた状態での構成を示す左側面図である。
【図８】本発明の実施の形態２における携帯情報端末の開いた状態での構成を示す平面図である。
【図９】本発明の実施の形態２における携帯情報端末の開いた状態での構成を示す底面図である。
【図１０】図４のＸａ−Ｘａ線に沿う概略断面図（ａ）およびＸｂ−Ｘｂ線に沿う概略断面図（ｂ）である。
【図１１】本発明の実施の形態２における携帯情報端末の開いた状態での構成を示す斜視図である。
【図１２】本発明の実施の形態２における携帯情報端末の閉じた状態での構成を示す正面図である。
【図１３】本発明の実施の形態２における携帯情報端末の閉じた状態での構成を示す右側面図である。
【図１４】本発明の実施の形態２における携帯情報端末の閉じた状態での構成を示す平面図である。
【図１５】本発明の実施の形態２における携帯情報端末の閉じた状態での構成を示す斜視図である。
【図１６】本発明の実施の形態２における携帯情報端末の開閉操作を説明するための正面図である。
【図１７】本発明の実施の形態２における携帯情報端末の閉じた状態での使用方法を説明するための斜視図である。
【図１８】本発明の実施の形態２における携帯情報端末の閉じた状態での使用方法を説明するための右側面図である。
【図１９】本発明の実施の形態２における携帯情報端末の開いた状態での使用方法を説明するための斜視図である。
【図２０】本発明の実施の形態２における携帯情報端末の電気回路部の一例を示す回路ブロック図である。
【図２１】トラックボールを用いた携帯情報端末の閉じた状態を示す正面図である。
【図２２】トラックボールを用いた携帯情報端末の閉じた状態を示す図２１のＸＸＩＩ−ＸＸＩＩ線に沿う概略断面図である。
【図２３】トラックボールを用いた携帯情報端末の閉じた状態を示す右側面図である。
【図２４】トラックボールを用いた携帯情報端末の閉じた状態を示す図２１のＸＸＩＶ−ＸＸＩＶ線に沿う概略断面図である。
【図２５】トラックボールを用いた携帯情報端末の閉じた状態を示す分解斜視図である。
【図２６】本発明の実施の形態３における携帯情報端末の開いた状態での構成を示す正面図である。
【図２７】本発明の実施の形態３における携帯情報端末の開いた状態での構成を示す背面図である。
【図２８】本発明の実施の形態３における携帯情報端末の開いた状態での構成を示す右側面図である。
【図２９】本発明の実施の形態３における携帯情報端末の開いた状態での構成を示す左側面図である。
【図３０】本発明の実施の形態３における携帯情報端末の開いた状態での構成を示す平面図である。
【図３１】本発明の実施の形態３における携帯情報端末の開いた状態での構成を示す底面図である。
【図３２】図２６のＸＸＸＩＩ−ＸＸＸＩＩ線に沿う概略断面図である。
【図３３】本発明の実施の形態３における携帯情報端末の開いた状態での構成を示す斜視図である。
【図３４】本発明の実施の形態３における携帯情報端末の閉じた状態での構成を示す正面図である。
【図３５】本発明の実施の形態３における携帯情報端末の閉じた状態での構成を示す右側面図である。
【図３６】本発明の実施の形態３における携帯情報端末の閉じた状態での構成を示す平面図である。
【図３７】本発明の実施の形態３における携帯情報端末の閉じた状態での構成を示す斜視図である。
【図３８】本発明の実施の形態３における携帯情報端末の開閉操作を説明するための正面図である。
【図３９】本発明の実施の形態３における携帯情報端末の閉じた状態での使用方法を説明するための斜視図である。
【図４０】本発明の実施の形態３における携帯情報端末の閉じた状態での使用方法を説明するための右側面図である。
【図４１】本発明の実施の形態３における携帯情報端末の開いた状態での使用方法を説明するための斜視図である。
【図４２】グライドパッドを用いた操作（再生）の一例を説明するための正面図である。
【図４３】グライドパッドを用いた操作（一時停止）の一例を説明するための正面図である。
【図４４】グライドパッドを用いた操作（停止）の一例を説明するための正面図である。
【図４５】グライドパッドを用いた操作（早送り）の一例を説明するための正面図である。
【図４６】グライドパッドを用いた操作（巻戻し）の一例を説明するための正面図である。
【図４７】両側開きに対応した構成を概略的に示す一部破断斜視図である。
【図４８】図４７に示す両側開きに対応した構成の右手による開閉操作を説明するための正面図である。
【図４９】図４７に示す両側開きに対応した構成の左手による開閉操作を説明するための正面図である。
【図５０】第１の筐体と第２の筐体とを２点支持するための部材の構成を示す概略斜視図である。
【図５１】２点支持された状態での開いた状態を示す正面図である。
【図５２】２点支持された状態での閉じた状態を示す正面図である。
【図５３】スピーカの他の配置を説明するための開いた状態の正面図である。
【図５４】スピーカのさらに他の配置を説明するための開いた状態の正面図である。
【図５５】静止画撮影における縦・横アングルの切り替えを説明するための図である。
【図５６】ＴＶ電話機能における縦・横アングルの切り替えを説明するための図である。
【図５７】特開２００３−３１９０４３号公報に開示された携帯電話機の構成を示す概略正面図である。
【符号の説明】
【０１１２】
１  第１の筐体、１ａ  キー上キャビネット、１ｂ  キー底キャビネット、２  第２の筐体、２ａ  液晶上キャビネット、２ｂ  液晶底キャビネット、２ｃ  平板または底板、３  回転連結機構、３ａ  第１の回転軸部、３ｂ  第２の回転軸部、１０  携帯情報端末、１１，２４  操作部、１２  マイク、１３  スタンド格納用の溝、１４，２３  カメラ、１５  フラッシュ、１６  シャッターボタン、１７  スロット、１８  スタンド、２１
表示部、２２，２２ａ，２７  スピーカ、２６  グライドパッド、３１  カーソルキー、３２  凹部、３３  凸部、４１  配線束、５０，５１，１０１，１０７，１１４  アンテナ、１０２  チューナ、１０３  映像ＩＦ／音声ＩＦ信号処理、１０４  音声復調、１０５  ビデオクロマ同期信号処理、１０６  フレームメモリ、１０８  １ＳＥＧチューナ、１０９  ＯＦＤＭデジタル復調部、１１０  ＴＳ多重分離処理、１１１  放送ブラウザ、１１２  映像復号、１１３  音声復号、１１５  ＲＦ処理、１１６  Based band処理、１１７  アプリケーションプロセッサ、１１８  ＬＣＤコントローラ、１１９  ＬＣＤ、１２０  ＤＡコンバータ、１２１  アンプ・音出力、１３１  トラックボール、１３２  ボール用シャフト、１３３  回転検出用基板、１３４  回転ヒンジ可動プレート、１３５  回転ヒンジ固定プレート、１３６  トラックボールカバー、２０１  カム孔、２０２  ピン、２１０，２２０  扇状の部材、２１１  レール溝、２１２，２１３  孔、２２１  ピン。
【図１】
2008278528.tif 000003
【図２】
2008278528.tif 000004
【図３】
2008278528.tif 000005
【図４】
2008278528.tif 000006
【図５】
2008278528.tif 000007
【図６】
2008278528.tif 000008
【図７】
2008278528.tif 000009
【図８】
2008278528.tif 000010
【図９】
2008278528.tif 000011
【図１０】
2008278528.tif 000012
【図１１】
2008278528.tif 000013
【図１２】
2008278528.tif 000014
【図１３】
2008278528.tif 000015
【図１４】
2008278528.tif 000016
【図１５】
2008278528.tif 000017
【図１６】
2008278528.tif 000018
【図１７】
2008278528.tif 000019
【図１８】
2008278528.tif 000020
【図１９】
2008278528.tif 000021
【図２０】
2008278528.tif 000022
【図２１】
2008278528.tif 000023
【図２２】
2008278528.tif 000024
【図２３】
2008278528.tif 000025
【図２４】
2008278528.tif 000026
【図２５】
2008278528.tif 000027
【図２６】
2008278528.tif 000028
【図２７】
2008278528.tif 000029
【図２８】
2008278528.tif 000030
【図２９】
2008278528.tif 000031
【図３０】
2008278528.tif 000032
【図３１】
2008278528.tif 000033
【図３２】
2008278528.tif 000034
【図３３】
2008278528.tif 000035
【図３４】
2008278528.tif 000036
【図３５】
2008278528.tif 000037
【図３６】
2008278528.tif 000038
【図３７】
2008278528.tif 000039
【図３８】
2008278528.tif 000040
【図３９】
2008278528.tif 000041
【図４０】
2008278528.tif 000042
【図４１】
2008278528.tif 000043
【図４２】
2008278528.tif 000044
【図４３】
2008278528.tif 000045
【図４４】
2008278528.tif 000046
【図４５】
2008278528.tif 000047
【図４６】
2008278528.tif 000048
【図４７】
2008278528.tif 000049
【図４８】
2008278528.tif 000050
【図４９】
2008278528.tif 000051
【図５０】
2008278528.tif 000052
【図５１】
2008278528.tif 000053
【図５２】
2008278528.tif 000054
【図５３】
2008278528.tif 000055
【図５４】
2008278528.tif 000056
【図５５】
2008278528.tif 000057
【図５６】
2008278528.tif 000058
【図５７】
2008278528.tif 000059